(57)【要約】【課題】  ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができるようにする。【解決手段】  オーディオタイトルサーチポインタテーブルとオーディオオンリータイトルサーチポインタテーブルとを読み込んで、オーディオタイトルサーチポインタテーブルに基づいてオーディオタイトル番号のグループ番号のトラック番号のアドレス番号のビデオ信号とオーディオ信号とを再生し、再生中にオーディオ信号のみの再生が指令されたとき、再生中のビデオ信号とオーディオ信号とのグループ番号を検索して取得し、再生中のビデオ信号とオーディオ信号とのトラック番号を検索して取得し、ビデオ信号の出力をＯＦＦにして、オーディオ信号のみの再生に遷移するようにする。【選択図】        図２
2006134410.tif 000002
【特許請求の範囲】
【請求項１】
ＤＶＤ−Ａｕｄｉｏディスクに記録されたビデオ信号とオーディオ信号との再生が可能なディスク再生装置であって、
ＤＶＤ−Ａｕｄｉｏディスクに記録されたオーディオタイトルサーチポインタテーブルとオーディオオンリータイトルサーチポインタテーブルとを読み込む読込手段と、前記読込手段により読み込まれたオーディオタイトルサーチポインタテーブルに基づいてビデオ信号とオーディオ信号とを再生する再生手段と、前記再生手段によるビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索する検索手段と、前記検索手段により検索されたグループ番号とトラック番号とを取得する取得手段と、再生中のビデオ信号とオーディオ信号とのタイトル情報のオーディオタイトル番号、グループ番号、及び、トラック番号を更新する更新手段と、ビデオ信号を再生するためのナビゲーション情報のシステムパラメータ、ジェネラルパラメータ、及び、スチル画の集まりのオーディオスチル画ユニットを記憶する記憶手段と、ビデオ信号の出力をＯＦＦにしてオーディオ信号のみの再生に遷移する遷移手段とを備えたことを特徴とするディスク再生装置。
【請求項２】
ＤＶＤ−Ａｕｄｉｏディスクに記録されたビデオ信号とオーディオ信号との再生が可能なディスク再生装置であって、
ＤＶＤ−Ａｕｄｉｏディスクに記録されたオーディオタイトルサーチポインタテーブルとオーディオオンリータイトルサーチポインタテーブルとを読み込む読込手段と、前記読込手段により読み込まれたオーディオタイトルサーチポインタテーブルに基づいてビデオ信号とオーディオ信号とを再生する再生手段と、前記再生手段によりビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索する検索手段と、前記検索手段により検索されたグループ番号とトラック番号とを取得する取得手段と、再生中のビデオ信号とオーディオ信号とのタイトル情報のオーディオタイトル番号、グループ番号、及び、トラック番号を更新する更新手段と、ビデオ信号の出力をＯＦＦにしてオーディオ信号のみの再生に遷移する遷移手段とを備えたことを特徴とするディスク再生装置。
【請求項３】
ビデオ信号を再生するためのナビゲーション情報のシステムパラメータ、ジェネラルパラメータ、及び、スチル画の集まりのオーディオスチル画ユニットを記憶する記憶手段を更に備えたことを特徴とする請求項２記載のディスク再生装置。
【請求項４】
ＤＶＤ−Ａｕｄｉｏディスクに記録されたビデオ信号とオーディオ信号との再生が可能なディスク再生装置の再生方法であって、
ＤＶＤ−Ａｕｄｉｏディスクに記録されたオーディオタイトルサーチポインタテーブルとオーディオオンリータイトルサーチポインタテーブルとを読み込むステップと、読み込まれたオーディオタイトルサーチポインタテーブルに基づいてビデオ信号とオーディオ信号とを再生するステップと、ビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索するステップと、再生中のビデオ信号とオーディオ信号とのグループ番号とトラック番号とを取得して、再生中のビデオ信号とオーディオ信号とのタイトル情報のオーディオタイトル番号、グループ番号、及び、トラック番号を更新するステップと、ビデオ信号の出力をＯＦＦにしてオーディオ信号のみの再生に遷移するステップとを備えたことを特徴とするディスク再生装置の再生方法。
【請求項５】
ビデオ信号を再生するためのナビゲーション情報のシステムパラメータ、ジェネラルパラメータ、及び、スチル画の集まりのオーディオスチル画ユニットを記憶するステップを更に備えたことを特徴とする請求項４記載のディスク再生装置の再生方法。
【発明の詳細な説明】
【技術分野】
【０００１】
本発明は、ＤＶＤ（Ｄｅｇｉｔａｌ  Ｖｅｒｓａｔｉｌｅ  Ｄｉｓｃ）−Ａｕｄｉｏディスクに記録されたビデオ信号とオーディオ信号との再生が可能なディスク再生装置及びその再生方法に係り、特にＤＶＤ−Ａｕｄｉｏディスクの再生をビデオ信号の画像のなしにオーディオ信号のみ再生することができるディスク再生装置及びその再生方法に関する。
【背景技術】
【０００２】
一般に、ＤＶＤ−Ａｕｄｉｏディスクは、ビデオ信号とオーディオ信号との再生が可能なディスク再生装置（Ｖｉｄｅｏ  Ｃａｐａｂｌｅ  Ａｕｄｉｏ  Ｐｌａｙｅｒ）、オーディオ信号専用の再生装置（Ａｕｄｉｏ  Ｏｎｌｙ  Ｐｌａｙｅｒ）で再生することができるようになっていて、それぞれの再生装置でＤＶＤ−Ａｕｄｉｏディスクに記録されたビデオ信号とオーディオ信号、或いは、オーディオ信号のみを再生するための制御情報が記録されている。しかし、ＤＶＤ−Ａｕｄｉｏディスクに記録された画像データを再生した場合、ビデオ信号の出力信号がオーディオ信号に干渉してオーディオ信号の品質が劣化するという問題点があった。そのため、ビデオ信号の再生が可能な再生装置で、ＤＶＤ−Ａｕｄｉｏディスクに記録されたビデオ信号とオーディオ信号とを再生すると、オーディオ信号と同時に再生されるビデオ信号がオーディオ信号に干渉してオーディオ信号を高品質で再生することができないという問題点があった。
背景技術としては、ＤＶＤ−Ａｕｄｉｏディスクの再生時に、ビデオ信号の出力が可能な場合、ビデオ信号の再生が可能な再生方式のデータを再生し、ビデオ信号の出力が可能でない場合、再生可能なオーディオ専用再生方式のデータを再生するようにしたものがあった（例えば、特許文献１参照）。
また、オーディオスチル画ビデオの表示形態の内容の表示タイミングモードと表示順序モードとを用意し、記録内容の再生順序を管理するプログラムチェーン情報をオーディオタイトルセットに含ませて、スチル画の再生情報のサーチポインタをプログラムチェーン情報に含ませ、再生情報に関するサーチポインタをサーチポインタ情報に含ませるようにしたものがあった（例えば、特許文献２参照）。
【特許文献１】特開２００４−２２０２３号公報
【特許文献２】特開２００２−２８８９４２号公報
【発明の開示】
【発明が解決しようとする課題】
【０００３】
しかしながら、背景技術で述べたもののうち前者においては、ＤＶＤ−Ａｕｄｉｏディスクの再生時に、ビデオ信号の出力が可能な場合、ビデオ信号の再生が可能な再生方式のデータを再生し、ビデオ信号の出力が可能でない場合、再生可能なオーディオ専用再生方式のデータを再生することができたが、車両が停車中にビデオ信号の出力が可能な場合にビデオ信号を出力し、車両が走行中にビデオ信号を出力しないようにしたものであって、上記問題点を解決するようにしたものではなかった。
また、後者においては、オーディオスチル画ビデオの表示形態の内容の表示タイミングモードと表示順序モードとを用意し、記録内容の再生順序を管理するプログラムチェーン情報をオーディオタイトルセットに含ませて、スチル画の再生情報のサーチポインタをプログラムチェーン情報に含ませ、再生情報に関するサーチポインタをサーチポインタ情報に含ませて、音切れを起こさないでオーディオデータとスチル画データとを多重化転送することができるようにしたものであって、上記問題点を解決するようにしたものではなかった。
本発明は、背景技術の有するこのような問題点に鑑みてなされたものであり、その目的とするところは、ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができるディスク再生装置を提供しようとするものである。
【課題を解決するための手段】
【０００４】
上記目的を達成するため本発明においては、ＤＶＤ−Ａｕｄｉｏディスクに記録されたビデオ信号とオーディオ信号との再生が可能なディスク再生装置であって、ＤＶＤ−Ａｕｄｉｏディスクに記録されたオーディオタイトルサーチポインタテーブルとオーディオオンリータイトルサーチポインタテーブルとを読み込む読込手段と、前記読込手段により読み込まれたオーディオタイトルサーチポインタテーブルに基づいてビデオ信号とオーディオ信号とを再生する再生手段と、前記再生手段によりビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索する検索手段と、前記検索手段により検索されたグループ番号とトラック番号とを取得する取得手段と、再生中のビデオ信号とオーディオ信号とのタイトル情報のオーディオタイトル番号、グループ番号、及び、トラック番号を更新する更新手段と、ビデオ信号の出力をＯＦＦにしてオーディオ信号のみの再生に遷移する遷移手段とを備える。
更に、ビデオ信号を再生するためのナビゲーション情報のシステムパラメータ、ジェネラルパラメータ、及び、スチル画の集まりのオーディオスチル画ユニットを記憶する記憶手段をを備える。
これらの手段により、ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができる。
【発明の効果】
【０００５】
請求項１記載の発明に係るディスク再生装置によれば、ＤＶＤ−Ａｕｄｉｏディスクに記録されたオーディオタイトルサーチポインタテーブルとオーディオオンリータイトルサーチポインタテーブルとを読み込んで、読み込まれたオーディオタイトルサーチポインタテーブルに基づいてビデオ信号とオーディオ信号とを再生し、ビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索して、検索されたグループ番号とトラック番号とを取得し、再生中のビデオ信号とオーディオ信号とのタイトル情報のオーディオタイトル番号、グループ番号、及び、トラック番号を更新して、ビデオ信号を再生するためのナビゲーション情報のシステムパラメータ、ジェネラルパラメータ、及び、スチル画の集まりのオーディオスチル画ユニットを記憶し、ビデオ信号の出力をＯＦＦにして、オーディオ信号のみの再生に遷移するようにしているので、ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができ、オーディオ信号のみの再生中に、再生中のオーディオ信号に加えてビデオ信号の再生が要求された場合に、再び、オーディオ信号とともにビデオ信号を再生することができる。
請求項２記載の発明に係るディスク再生装置によれば、ＤＶＤ−Ａｕｄｉｏディスクに記録されたオーディオタイトルサーチポインタテーブルとオーディオオンリータイトルサーチポインタテーブルとを読み込んで、読み込まれたオーディオタイトルサーチポインタテーブルに基づいてビデオ信号とオーディオ信号とを再生し、ビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索して、検索されたグループ番号とトラック番号とを取得し、再生中のビデオ信号とオーディオ信号とのタイトル情報のオーディオタイトル番号、グループ番号、及び、トラック番号を更新して、ビデオ信号の出力をＯＦＦにし、オーディオ信号のみの再生に遷移するようにしているので、ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができる。
請求項３記載の発明に係るディスク再生装置によれば、ビデオ信号の再生が可能なオーディオ信号の再生状態に復帰するために、ビデオ信号を再生するためのナビゲーション情報のシステムパラメータ、ジェネラルパラメータ、及び、スチル画の集まりのオーディオスチル画ユニットを記憶するようにしているので、オーディオ信号のみの再生中に、再生中のオーディオ信号に加えてビデオ信号の再生が要求された場合に、再び、オーディオ信号とともにビデオ信号を再生することができる。
請求項４記載の発明に係るディスク再生装置によれば、ＤＶＤ−Ａｕｄｉｏディスクに記録されたオーディオタイトルサーチポインタテーブルとオーディオオンリータイトルサーチポインタテーブルとを読み込んで、読み込まれたオーディオタイトルサーチポインタテーブルに基づいてビデオ信号とオーディオ信号とを再生し、ビデオ信号とオーディオ信号との再生中に、オーディオ信号のみの再生への切り換えが指令されたとき、オーディオオンリータイトルサーチポインタテーブルのオーディオタイトル番号から再生中のビデオ信号とオーディオ信号とが属するグループ番号とトラック番号とを検索して、再生中のビデオ信号とオーディオ信号とのグループ番号とトラック番号とを取得し、再生中のビデオ信号とオーディオ信号とのタイトル情報のオーディオタイトル番号、グループ番号、及び、トラック番号を更新して、ビデオ信号の出力をＯＦＦにし、オーディオ信号のみの再生に遷移するようにしているので、ＤＶＤ−Ａｕｄｉｏに記録されたビデオ信号とオーディオ信号との再生中に、オーディオ信号のみの再生に切り換えられた際、ビデオ信号の出力をＯＦＦにし、再生中のオーディオ信号が途切れることなく、オーディオ信号のみの再生にシームレスに遷移することができる。
請求項５記載の発明に係るディスク再生装置によれば、ビデオ信号の再生が可能なオーディオ信号の再生状態に復帰するために、ビデオ信号を再生するためのナビゲーション情報のシステムパラメータ、ジェネラルパラメータ、及び、スチル画の集まりのオーディオスチル画ユニットを記憶するようにしているので、オーディオ信号のみの再生中に、再生中のオーディオ信号に加えてビデオ信号の再生が要求された場合に、再び、オーディオ信号とともにビデオ信号を再生することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置の動作を示すフローチャートである。
まず、図１の本発明の一実施例のディスク再生装置の構成を示すブロック図を基に説明する。
ディスク再生装置１は、ＤＶＤ−Ａｕｄｉｏディスク２の記録面にレーザ光を照射してその反射光を検出してＤＶＤ−Ａｕｄｉｏディスク２に記録された情報データを読み出す光ピックアップ３と、ＤＶＤ−Ａｕｄｉｏディスク２を回転させるスピンドルモータ４と、光ピックアップ３をＤＶＤ−Ａｕｄｉｏディスク２の半径方向に移動させるスレッドモータ５と、スピンドルモータ４を駆動してＤＶＤ−Ａｕｄｉｏディスク２の回転速度をサーボ制御し、スレッドモータ５の回転方向と回転速度とをサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された情報データのＲＦ（Ｒａｄｉｏ  Ｆｒｅｑｕｅｎｃｙ）信号を増幅するＲＦ増幅回路７と、ＲＦ増幅回路７により増幅された情報データのＲＦ信号を基準クロックに基づいて同期検出してアナログ信号の情報データをデジタル信号に変換し、デジタルデータに変換された情報データを復調して、復調された情報データの誤りを訂正するデジタル信号処理回路８と、デジタル信号処理回路８が情報データの信号を処理する際に、情報データを一時的に蓄積するバッファメモリ９と、情報データのビデオ信号、サブピクチャ信号、オーディオ信号の各ビットストリームを分離するストリーム分離部１０と、所定の圧縮方式、例えば、ＭＰＥＧ（Ｍｏｖｉｎｇ  Ｐｉｃｔｕｒｅ  Ｅｘｐｅｒｔ  Ｇｒｏｕｐ）方式で圧縮された情報データのビデオ信号を伸長して、元の情報データのビデオ信号に復号するビデオデコーダ１１と、所定の圧縮方式で圧縮されたサブピクチャ信号の情報データの文字情報信号等を伸長して、元の情報データの文字情報信号等に復号するサブピクチャデコーダ１２と、復号されたビデオ信号とサブピクチャ信号とをＤＶＤ−Ａｕｄｉｏディスクに記録された時間情報に基づいて元の順序に混合するビデオミキサ１３と、ビデオミキサ１３により混合されたデジタル信号のビデオ信号を所定の信号方式に従ったビデオ信号、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のビデオ信号に符号化して、符号化されたデジタル信号のビデオ信号をアナログ信号に変換するエンコーダ／ＤＡ変換回路１４と、所定の圧縮方式、例えば、ＡＣ−３（Ａｕｄｉｏ  Ｃｏｍｐｒｅｓｓｉｏｎ−３、米国ドルビーラボラトリーズ社の商標）方式で圧縮された情報データのオーディオ信号を伸長して、元のデジタル信号のオーディオ信号に復号するオーディオデコーダ１５と、復号されたデジタル信号のオーディオ信号をアナログ信号に変換するＤＡ変換回路１６と、ディスク再生装置１のシステム全体を制御するマイコン１７と、リモコン装置２０から送信された赤外線信号のリモコン信号を受信して、所定の電気信号に変換するリモコン受信部１８とで構成されている。
以上のように構成されたディスク再生装置について、以下その動作について説明する。
リモコン装置２０の操作キーの操作によりＤＶＤ−Ａｕｄｉｏディスク２の再生が指令されると、マイコン１７は、サーボ回路６に制御信号を送出して、スピンドルモータ４を駆動してＤＶＤ−Ａｕｄｉｏディスク２を回転させ、スレッドモータ５を駆動して光ピックアップ３をＤＶＤ−Ａｕｄｉｏディスク２の半径方向に移動させ、ＤＶＤ−Ａｕｄｉｏディスク２に記録されたオーディオタイトルサーチポインタテーブルＡＴＴ＿ＳＲＰＴ（Ａｕｄｉｏ  Ｔｉｔｌｅ＿Ｓｅａｒｃｈ  Ｐｏｉｎｔｅｒ  Ｔａｂｌｅ）とオーディオオンリータイトルサーチポインタテーブルＡＯＴＴ＿ＳＲＰＴ（Ａｕｄｉｏ  Ｏｎｌｙ  Ｔｉｔｌｅ＿Ｓｅａｒｃｈ  Ｐｏｉｎｔｅｒ  Ｔａｂｌｅ）とを読み込んで、読み込まれたオーディオタイトルサーチポインタテーブルＡＴＴ＿ＳＲＰＴの情報に基づいてオーディオタイトル番号ＡＴＳ＿ＴＴＮ＃ｍのグループ番号ＧＲＮ＃ｎのトラック番号ＴＫＮ＃ｏのアドレス番号＃ｐのビデオ信号とオーディオ信号とを再生する。
ＤＶＤ−Ａｕｄｉｏディスク２に記録されたオーディオ信号とビデオ信号との再生中に、ＤＶＤ−Ａｕｄｉｏディスク２に記録されたオーディオ信号のみの再生への切り換えが指令されると、マイコン１７は、ＤＶＤ−Ａｕｄｉｏディスク２に記録されたアドレス番号＃ｐのビデオ信号とオーディオ信号とを再生しながら、オーディオオンリータイトルサーチポインタテーブルＡＯＴＴ＿ＳＲＰＴの情報のオーディオタイトル番号ＡＴＳ＿ＴＴＮ＃ｍのオーディオタイトル番号ＡＴＴＮ＃から再生中のアドレス番号＃ｐのビデオ信号とオーディオ信号とが属するグループ番号ＧＲＮ（Ｇｒｏｕｐ  Ｎｕｍｂｅｒ）＃ｉを検索して、ＤＶＤ−Ａｕｄｉｏディスク２に記録された再生中のアドレス番号＃ｐのビデオ信号とオーディオ信号のグループ番号ＧＲＮ＃ｉを取得する。
ＤＶＤ−Ａｕｄｉｏディスク２に記録されたグループ番号ＧＲＮ＃ｉが取得すると、マイコン１７は、ＤＶＤ−Ａｕｄｉｏディスク２に記録されたアドレス番号＃ｐのビデオ信号とオーディオ信号とを再生しながら、グループ番号ＧＲＮ＃ｉの各オーディオタイトルＡＴＴ（Ａｕｄｉｏ  Ｔｉｔｌｅ）が属するプログラム番号ＰＧＮ（Ｐｒｏｇｒａｍ  Ｎｕｍｂｅｒ）からＤＶＤ−Ａｕｄｉｏディスクに記録された再生中のアドレス番号＃ｐのビデオ信号とオーディオ信号とが属するトラック番号ＴＫＮ（Ｔｒａｃｋ  Ｎｕｍｂｅｒ）＃ｊを検索して、トラック番号ＴＫＮ＃ｊを取得する。
そして、マイコン１７は、オーディオ信号、ビデオ信号のタイトル情報のオーディオタイトル番号ＡＴＴＮ、グループ番号ＧＲＮ、及び、トラック番号ＴＫＮを更新し、オーディオ信号とともにビデオ信号の再生が可能なＶＣＡＰに復帰することができるように、システムパラメータＳＰＲＭ（Ｓｙｓｔｅｍ  Ｐａｒａｍｅｔｅｒ）、ジェネラルパラメータＧＰＲＭ（Ｇｅｎｅｒａｌ  Ｐａｒａｍｅｔｅｒ）、及び、オーディオスチル画ユニットＡＳＶＵ（Ａｕｄｉｏ  Ｓｔｉｌｌ  Ｖｉｄｅｏ  Ｕｎｉｔ）をマイコン１７に内蔵のメモリ（図示せず）に記憶し、エンコーダ／ＤＡ変換回路１４に制御信号を送出して、ビデオ信号の出力をＯＦＦにし、再生中のオーディオ信号が途切れることなく、オーディオ信号のみの再生に遷移する。
また、図２の本発明の一実施例のディスク再生装置の動作を示すフローチャートを基に説明する。
ＤＶＤ−Ａｕｄｉｏディスクの再生が指令されると、ステップＳ１からステップＳ２に進み、ステップＳ２で、ＤＶＤ−Ａｕｄｉｏディスクに記録されたオーディオタイトルサーチポインタテーブルＡＴＴ＿ＳＲＰＴの情報とオーディオオンリータイトルサーチポインタテーブルＡＯＴＴ＿ＳＲＰＴの情報とが読み込まれて、読み込まれたオーディオタイトルサーチポインタテーブルＡＴＴ＿ＳＲＰＴの情報に基づいてオーディオタイトル番号ＡＴＳ＿ＴＴＮ＃ｍのグループ番号ＧＲＮ＃ｎのトラック番号ＴＫＮ＃ｏのアドレス番号＃ｐのビデオ信号とオーディオ信号とが再生され、ステップＳ３に進む。
ステップＳ３で、オーディオ信号のみの再生への切り換えが指令されたか否かが判断され、オーディオ信号のみの再生への切り換えが指令された場合、ステップＳ４に進み、オーディオ信号のみの再生への切り換えが指令されない場合、ステップＳ９に進んで、処理を終了する。
ステップＳ４で、アドレス番号＃ｐのビデオ信号とオーディオ信号とを再生しながら、オーディオオンリータイトルサーチポインタテーブルＡＯＴＴ＿ＳＲＰＴの情報に記録されたオーディオタイトル番号ＡＴＳ＿ＴＴＮ＃ｍのオーディオタイトル番号ＡＴＴＮ＃から再生中のアドレス番号＃ｐのビデオ信号とオーディオ信号とが属するグループ番号ＧＲＮ＃ｉが検索され、ステップＳ５に進む。
ステップＳ５で、ＤＶＤ−Ａｕｄｉｏディスクに記録された再生中のビデオ信号とオーディオ信号とが属するグループ番号ＧＲＮ＃ｉが取得されたか否かが判断され、ＤＶＤ−Ａｕｄｉｏディスクに記録された再生中のビデオ信号とオーディオ信号とが属するグループ番号ＧＲＮ＃ｉが取得された場合、ステップＳ６に進み、ＤＶＤ−Ａｕｄｉｏディスクに記録された再生中のビデオ信号とオーディオ信号と属するグループ番号ＧＲＮ＃ｉが取得されていない場合、ステップＳ４に戻って、ステップＳ４からのステップを繰り返す。
ステップＳ６で、ＤＶＤ−Ａｕｄｉｏディスクに記録されたアドレス番号＃ｐのビデオ信号とオーディオ信号とを再生しながら、グループ番号ＧＲＮ＃ｉの各オーディオタイトルＡＴＴが属するプログラム番号ＰＧＮから再生中のアドレス番号＃ｐのビデオ信号とオーディオ信号とが属するトラック番号ＴＫＮ＃ｊが検索され、ステップＳ７に進む。
ステップＳ７で、ＤＶＤ−Ａｕｄｉｏディスクに記録された再生中のビデオ信号とオーディオ信号とが属するトラック番号ＴＫＮ＃ｊが取得されたか否かが判断され、ＤＶＤ−Ａｕｄｉｏディスクに記録された再生中のビデオ信号とオーディオ信号とが属するトラック番号ＴＫＮ＃ｊが取得された場合、ステップＳ８に進み、ＤＶＤ−Ａｕｄｉｏディスクに記録された再生中のビデオ信号とオーディオ信号とが属するトラック番号ＴＫＮ＃ｊが取得されていない場合、ステップＳ６に戻って、ステップＳ６からのステップを繰り返す。
ステップＳ８で、オーディオタイトル番号ＡＴＴＮ、グループ番号ＧＲＮ、及び、トラック番号ＴＫＮが更新されて、ビデオ信号とオーディオ信号との再生が可能なＶＣＡＰに復帰することができるように、システムパラメータＳＰＲＭ、ゼネラルパラメータＧＰＲＭ、及び、オーディオ静止画ビデオ信号ユニットＡＳＶＵがメモリに記憶され、ビデオ信号の出力がＯＦＦにされて、再生中のオーディオ信号が途切れることなく、オーディオ信号のみの再生に遷移され、ステップＳ９に進んで処理を終了する。
以上、本発明を実施するための最良の形態について詳述したが、本発明はこれに限定されるものではなく、当業者の通常の知識の範囲内でその変形や改良が可能であることはいうまでもない
【図面の簡単な説明】
【０００７】
【図１】本発明の一実施例のディスク再生装置の構成を示すブロック図である。
【図２】本発明の一実施例のディスク再生装置の動作を示すフローチャートである。
【符号の説明】
【０００８】
１  ディスク再生装置
２  ＤＶＤ−Ａｕｄｉｏディスク
３  光ピックアップ
４  スピンドルモータ
５  スレッドモータ
６  サーボ回路
７  ＲＦ増幅回路
８  デジタル信号処理回路
９  バッファメモリ
１０  ストリーム分離部
１１  ビデオデコーダ
１２  サブピクチャデコーダ
１３  ビデオミキサ
１４  エンコーダ／ＤＡ変換回路
１５  オーディオデコーダ
１６  ＤＡ変換回路
１７  マイコン
１８  リモコン受信部
２０  リモコン装置
【図１】
2006134410.tif 000003
【図２】
2006134410.tif 000004